【事件の表示】
　平成　３年特許願第３３２４３３号「撮像装置」拒絶査定に対する審判事件［平成　５年　６月１１日出願公開、特開平　５−１４５８３２］について、次のとおり審決する。
【結　論】
　本件審判の請求は、成り立たない。
【理　由】
第１　本願発明
　本願は、平成３年１１月２０日の出願であって、その発明は、補正された明細書及び図面の記載からみて、その特許請求の範囲（請求項の数２）に記載された「撮像装置」に係るものであるところ、その請求項１に係る発明（以下「本願発明」という。）は、次に掲げるとおりのものである。
「撮像面に形成された撮像画像の撮像信号を出力する撮像素子と、
　上記撮像信号を蓄積して出力するメモリ回路と、
　上記メモリ回路から出力される撮像信号を所定の映像信号に変換する信号処理回路と
　を具え、
　上記撮像素子は、第１又は第２のテレビジヨン方式に必要な有効画素数の内多い方の画素数の、水平方向、垂直方向とも４／３倍以上の有効画素数を有し、
　上記メモリ回路は、上記撮像素子の有効画素数で出力される上記撮像信号を取り込んだ後、上記映像信号の上記第１又は第２のテレビジヨン方式及び第１又は第２のアスペクトレシオに応じて選択出力するとともに、上記選択されたテレビジヨン方式及びアスペクトレシオに必要な画素数を上記撮像素子の有効画素の任意の位置から出力する
　ことを特徴とする撮像装置」
　
第２　刊行物発明
　１　刊行物１の発明
　　原審の拒絶理由に引用された刊行物である、本願の出願の日前の平成２年７月１０日に頒布された特開平２−１７７７７２号公報（以下「刊行物１」という。）には、次に掲げるビデオカメラのぶれ補正方式（以下「刊行物１の発明」という。）が記載されている。
「受光部１の撮像範囲を第２図に示す範囲１０とすると、データ入出回路３によってＡ／Ｄ変換回路２から出力される撮像範囲１０のディジタル映像信号がメモリ４に記憶されるのに対し、このメモリ４からの読出しは、第２図における撮像範囲１０内に設定される所定大きさの範囲１１について行われる。この範囲１１を、以下、映像出力範囲という。また、データ入出力回路３はぶれセンサ５の検出出力に応じてぶれ補正制御回路６により制御され、撮像範囲１０内で映像出力範囲１１を変位させる。メモリ４から読み出された映像出力範囲１１のディジタル映像信号は、Ｄ／Ａ変換回路７でアナログ化された後、映像回路８で所定の処理がなされて出力端子９から出力される。」（２頁右下欄８行ないし３頁左上欄２行）
　
　２　刊行物２の発明
　　同じく、原審の拒絶理由に引用された刊行物である、本願の出願の日前の平成３年１月２４日に頒布された特開平３−１６４８２号公報（以下「刊行物２」という。）には、次に掲げる(1)ないし(4)の事項からなる撮像装置（以下「刊行物２の発明」という。）が記載されている。
　 (1)　アスペクト比４：３の現行テレビとワイドアスペクト比１６：９のモニタのどちらにも画像を映すことができる撮像装置（１頁右下欄１３行ないし１５行）
　 (2)　第３図は第１及び第２のフィールドメモリ２５，２６の構成図である。Ａ点はワイドアスペクト比１６：９の場合の読み出し開始点、Ｂ点はアスペクト比４：３の場合の読み出し開始点を示す。（３頁右上欄１４行ないし１７行）
　 (3)　第５図は同期信号発生回路２２のブロック図である。タイミング発生器２１から与えられる２．２５ＭＨｚを基準周波数として、ＮＴＳＣ系の場合は２．２５ＭＨｚを１／１４３分周回路３４により分周することにより水平周波数ｆＨ（１５．７ＫＨｚ ）になり、さらに１／５２５分周回路３５で分周することでフレーム周波数ｆＦを得ることができる。また水平周波数ｆＨを４５５／２分周回路３６で分周することで色搬送波周波数ｆｓｃ（３．５８ＭＨｚ）を得ることができる。次にＰＡＬ系の湯合は、基準周波数の２．２５ＭＨｚを１／１４４分周回路３７で分周することにより水平周波数ｆＨを得ることができ、さらに１／６２５分周回路３８で分周することでフレーム周波数ｆＦを得ることができる。また水平周波数ｆＨを１１３５／４分周回路３９で分周することで色搬送波周波数ｆｓｃ〔４．４３ＭＨｚ）を得ることができる。（３頁左下欄１５行ないし同頁右下欄１２行）
　 (4)　メモリ部にサンプリング周波数１８ＭＨＺで記憶した画像信号をサンプリング周波数１３．５ＭＨＺと１８ＭＨＺでそれぞれ読み出すことによってアスペクト比４：３の現行テレビとワイドアスペクト比１６：９のモニタあるいはテレビに画像を映すことができ、大きな効果を得ることができる。また、サンプリング周波数ｆｓを１３．５ＭＨＺと１８ＭＨＺ にすることによって、ＮＴＳＣ系とＰＡＬ系の両系の各種のタイミング系を簡単に得る事ができ、大きな効果を得ることができる。（４頁右下欄１９行ないし５頁左上欄９行）
　
第３　刊行物発明と本願発明との対比
　１　刊行物１の発明における事項と本願発明における事項との対比
　　刊行物１の発明は「ビデオカメラのぶれ補正方式」に係るものであるが、刊行物１には、受光部１、メモリ４及び映像回路８を備えた撮像装置が記載されているともいえるから、この撮像装置は、本願発明に係る「撮像装置」に一応対応する。
　　　したがって、刊行物１の発明における事項と本願発明における事項とを対比すると、次に掲げる(1)ないし(3)の事項がそれぞれ対応ないしは相当する。
　 (1)　刊行物１の発明における「受光部１」は、撮像範囲１０の映像信号をメモリ４に出力するから、撮像範囲１０とその内の範囲１１の画素数を限定することは別として、本願発明における「撮像素子」に一応対応する。
　 (2)　刊行物１の発明における「メモリ４」は、受光部１の撮像範囲１０からの撮像信号をディジタル映像信号として記憶し、撮像範囲１０内の変位される範囲１１からのディジタル映像信号を出力するから、第１又は第２のテレビジヨン方式及び第１又は第２のアスペクトレシオに応じて選択されたテレビジヨン方式及びアスペクトレシオについては別として、本願発明における「メモリ回路」に一応対応する。
　 (3)　刊行物１の発明における「映像回路８」は、メモリ４から読み出されたディジタル映像信号がＤ／Ａ変換回路７でアナログ映像信号に変換され、そのアナログ映像信号に対して所定の処理をするから、本願発明における「信号処理回路」に相当する。
　
　２　刊行物１の発明と本願発明との一致点と相違点の検討
　　上記対比から刊行物１の発明と本願発明とは、次に掲げる(1)の点で一致し、次に掲げる(2)の点で相違する。
　 (1)　一致点
　　　「撮像面に形成された撮像画像の撮像信号を出力する撮像素子と、
　上記撮像信号を蓄積して出力するメモリ回路と、
　上記メモリ回路から出力される撮像信号を所定の映像信号に変換する信号処理回路と
　を具え、
　上記撮像素子は、テレビジヨン方式に必要な有効画素数以上の有効画素数を有し、
　上記メモリ回路は、上記撮像素子の有効画素数で出力される上記撮像信号を取り込んだ後、上記テレビジヨン方式に必要な画素数を上記撮像素子の有効画素の任意の位置から出力する
　ことを特徴とする撮像装置」
　 (2)　相違点
　　　ア　上記「撮像素子の有効画素数」が、本願発明においては「第１又は第２のテレビジヨン方式に必要な有効画素数の内多い方の画素数の、水平方向、垂直方向とも４／３倍以上」であるのに対して、刊行物１の発明においては、「特定のテレビジヨン方式に必要な有効画素数以上」である点
　　　イ　上記「メモリ回路」が、本願発明においては「上記映像信号の上記第１又は第２のテレビジヨン方式及び第１又は第２のアスペクトレシオに応じて選択出力するとともに、上記選択されたテレビジヨン方式及びアスペクトレシオに必要な画素数を上記撮像素子の有効画素の任意の位置から出力する」のに対して、刊行物１の発明においては、「特定のテレビジヨン方式に必要な画素数を、結果的に、上記撮像素子の有効画素の任意の位置から出力する」点
　
　３　相違点についての検討
　 (1)　相違点アについての検討
　　　刊行物１の発明は、特定のテレビジヨン方式に関しての撮像装置であるが、一般に、テレビジヨン方式として、ＰＡＬ方式とＮＴＳＣ方式は知られており、また、特定のテレビジョン方式において、ワイド方式（アスペクトレシオが９：１６）と標準方式（アスペクトレシオが３：４）も知られており、刊行物２にも記載されている。
　そして、刊行物２の発明は、ワイド方式又は標準方式及びＰＡＬ方式又はＮＴＳＣ方式が選択されて、すなわち、特定のテレビジョン方式におけるアスペクトレシオが選択されて、撮像素子の有効画素からの撮像信号を全てメモリに記憶し、このメモリの読出しを制御して必要な撮像信号を出力する、すなわち、このメモリは、特定のテレビジョン方式におけるアスペクトレシオに応じたアドレスからの撮像信号を出力することで、結果として、特定のテレビジョン方式におけるアスペクトレシオに応じた位置からの撮像信号を撮像素子の有効画素から出力する撮像装置ともいえる。
　したがって、刊行物１の発明に、刊行物２の発明における方式の選択を採用することは、当業者であれば、適宜なし得ることである。
　その際に、ＮＴＳＣ方式より画素数が多いＰＡＬ方式の撮像素子の有効画素数を水平方向、垂直方向とも４／３倍以上とすることは、設計的事項である。
　なお、手振れを防止するために、水平、垂直ともに画素数に余裕を持たせ、この余裕画素の比率を３割以上とすることは、例えば、特開平３−１４８９７２号公報（平成３年６月２５日公開）、１頁左下欄、特許請求の範囲の請求項２に記載されている。
　以上、「撮像素子の有効画素数」を「第１又は第２のテレビジヨン方式に必要な有効画素数の内多い方の画素数の、水平方向、垂直方向とも４／３倍以上」とすることは、当業者であれば、適宜なし得ることである。
　 (2)　相違点イについての検討
　　　上記相違点(1)で検討したように、刊行物１の発明に、刊行物２の発明における方式の選択を採用することによって、刊行物１の発明において、特定のテレビジョン方式（ＰＡＬ方式又はＮＴＳＣ方式）におけるアスペクトレシオ（ワイド方式又は標準方式）を選択し、メモリ４の任意のアドレスからの撮像信号を出力させること、すなわち、結果として、撮像素子の有効画素の任意の位置からの撮像信号を出力させることは、当業者において、自明なことである。
　したがって、「メモリ回路」から「上記映像信号の上記第１又は第２のテレビジヨン方式及び第１又は第２のアスペクトレシオに応じて選択出力するとともに、上記選択されたテレビジヨン方式及びアスペクトレシオに必要な画素数を上記撮像素子の有効画素の任意の位置から出力する」とすることは、当業者であれば、適宜なし得ることである。
　
第４　むすび
　以上、本願発明は、刊行物１の発明に基いて、当業者が容易に発明をすることができたものであるから、特許法２９条２項の規定により特許を受けることができない。
　したがって、他の請求項２に係る発明について検討するまでもなく、本願は拒絶すべきものである。
　よって、結論のとおり審決する。